(57)【要約】【課題】表示素子にＬＥＤ等を採用した表示ユニットを、横方向に容易に連結し、地面に設置可能な映像表示装置を提供する。【解決手段】箱体状の表示ユニット１，１を、複数台、左右（横）方向に連結自在に接続するとともに、表示ユニット１の上部を保持する上蓋部材２、表示ユニット１を支えた基台５との間に第１の支柱部材３、支持部材４及び第２の支柱部材６が着脱自在に連結されるように構成されている。このような構成により、表示ユニット１の表示面を鉛直方向から傾斜させた状態で、安定保持できるとともに、組み立て解体が容易な映像表示装置を提供できる。【選択図】      図１
2004354571.tif 000002
【特許請求の範囲】
【請求項１】
多数の表示素子を前面に配列した表示ユニットを、連結具を介して、左右方向に複数台連結して構成される映像表示装置において、
前記表示ユニットの上部を捕捉可能に構成された上蓋部材と、
この上蓋部材の後部に、一端部が着脱自在に構成された第１の支柱部材と、
この第１の支柱部材の他端部に、着脱自在に構成された長尺な支持部材と、
この支持部材に一端部が着脱自在に構成され、他端部が前記表示ユニットの底部を保持する基台に着脱自在に構成された第２の支柱部材と
を具備することを特徴とする映像表示装置。
【請求項２】
前記上蓋部材と前記基台とは、前記表示ユニットの前面を覆う透光性のカバーを保持し得るように構成されたことを特徴とする請求項１に記載の映像表示装置。
【請求項３】
前記第１の支持部材または第２の支持部材の少なくともいずれか一方は、その長さを可変できるように構成されたことを特徴とする請求項１または請求項２に記載の映像表示装置。
【請求項４】
前記表示ユニットは、上に載置される相手側表示ユニットと連結するための連結ピンと、下に配置される相手側表示ユニットに設けられた連結ピンを捕捉可能な係止部とを備え、
前記上蓋部材は、前記表示ユニットに設けられた連結ピンを捕捉可能に構成され、
前記基台は、前記表示ユニットに設けられた前記係止部に嵌合する連結ピンを設けた
ことを特徴とする請求項１ないし請求項３のうちのいずれか１項に記載の
映像表示装置。
【請求項５】
前記表示ユニットは、左右に隣接する他の表示ユニットを連結するための連結機構を設けたことを特徴とする請求項１ないし請求項４のうちのいずれか１項に記載の映像表示装置。
【発明の詳細な説明】
【０００１】
【発明の属する技術分野】
本発明は、多数の表示素子を前面に配列して装置した表示ユニットを、左右（横）方向に複数台連結して構成した映像表示装置に関する。
【０００２】
【従来の技術】
屋内外の競技場や各種イベント会場、あるいは繁華街等に面した建物の外壁面（ビルボード）等には、ＬＥＤ（発光ダイオード）等の表示素子をマトリクス状に多数配置して構成した映像表示装置が据え付けられることが多い。
【０００３】
このような映像表示装置は、大型画面（ディスプレイ）を構成するために、予め複数個の表示パネルを組み込んだ偏平な箱体状の表示ユニットを、多数台、上下（縦）及び左右（横）方向に連結接続して、ビル等の建造物へ組み込み固定設置されるほか、大型車両の荷台等に搭載されて、可搬式に移動使用されることもある。
【０００４】
図１１及び図１２は、従来の映像表示装置を構成する表示ユニット１の外観を示したもので、図１１はその表示ユニット１の一部分解斜視図、また図１２は図１１に示した表示ユニットを背面側から見た斜視図である。
【０００５】
すなわち、表示ユニット１は、複数個（図１１及び図１２では６個）の表示パネル１１を嵌め込んだ前枠１２が、複数本の支柱１３を介して後枠１４に連結固定されて構成され、各表示パネル１１には、ＬＥＤ等の表示素子１１ａが、多数、マトリクス状に配置されている。なお、中間に位置して取り付けられた左右の支柱１３間には、補強も兼ねた補助支柱１３ａが差し渡されて固定されている。
【０００６】
また、最下段の支柱１３及び前枠１２と後枠１４との間には、下方に連結される他の表示ユニット１との連結用をも兼ねた脚部材１５が嵌め込み固定されている。
【０００７】
図１２にも示すように、後枠１４は、枠体１４１と開閉扉１４２とで構成され、開閉扉１４２の内側には、表示素子１１ａを駆動制御する制御部１６等が取り付けられている。
【０００８】
支柱１３や補助支柱１３ａ、並びに脚部材１５には、上下左右に連結される相手側ユニット１との接続用に、いわゆる捻り動作機構を採用した連結具１７が取り付けられている。
【０００９】
連結具１７は、可動部１７ａと係止部１７ｂとが対をなして構成され、連結される表示ユニット１の一方には、可動部１７ａまたは係止部１７ｂのいずれか一方が取り付けられ、上下左右の各相手側表示ユニット１，１との間で嵌脱可能に構成されている（例えば、特許文献１参照。）。
【００１０】
もっとも、表示ユニット１，１間の連結には、連結具１７に代えて、ボルトとナット等を用いて、隣接する表示ユニットの支柱間を位置決め固定することも行われる。
【００１１】
図１３は、多数台の表示ユニット１を上下左右に連結して大型画面を構成した映像表示装置の一部正面図を示したもので、映像表示装置は、連結具１７により、表示ユニット１を単位とした組み立てあるいは解体が可能である。
【００１２】
【特許文献１】
特開２００１−３５０４３４号公報
【００１３】
【発明が解決しようとする課題】
上記のように、大型画面を形成する映像表示装置は、表示ユニットを上下左右に連結されて構成され、ビル等の建造物に据え付け固定されたり、大型車両に搭載されて使用されることが多い。
【００１４】
大型画面を形成して動画を映し出すことができるこの種の映像表示装置は、屋外のみならず、屋内のスポーツ競技場や屋内のイベント会場内にも据え付けられることもあるが、多くの人がこれを見ることができるように地上高く据え付けられことが多い。
【００１５】
映像表示装置における表示内容もその使用目的や用途によって多種多様のものがある。表示画面には、ライブ（生放送）や中継録画のテレビジョン撮影画像もあれば、予め作成された企業等の広告宣伝、すなわちコマーシャル映像をも見ることができる。
【００１６】
動画に限らず静止画を含めた宣伝広告塔や看板等を考えると、人目につくところであれば、ありとあらゆる場所に設置されると言っても過言ではない。
【００１７】
最近、スポーツ競技場のフィールドやトラック近くの地面に、その競技を妨害しないように、広告宣伝用の看板が設置されるのをしばしば目にする。
【００１８】
スポーツ競技場のフィールド近くに設置される広告宣伝用の看板は、競技等を妨害しないように、全体が横長の画面を形成され、しかも多くはスタンドの観客にも良く見える必要があるから、表示面がやや上に向くように多く設置される。
【００１９】
ＬＥＤを搭載した従来の映像表示装置は、動画を表示できる点から、広告宣伝用として高い映像効果が得られるものの、重量が大で、組み立て構造も複雑であるから、構造上、屋内外のスポーツ競技場のフィールドやトラックの近くの地面に直に置くのには適していない。
【００２０】
また、従来の映像表示装置は、元来、表示ユニットを上下左右の双方向へ多数連結して大型ディスプレイを構成するように考慮されているので、競技等を妨害しないように横長に画面を形成して、構造上、安定化させるのに適した構成をなしていなかった。
【００２１】
そこで、本発明は、従来の映像表示装置に組み込まれた表示ユニットをそのまま利用し得て、例えばスポーツ競技場のフィールドやトラックの近くの地面に安定的に直接設置し得るとともに、組み立て及び解体が容易で、運搬にも便利な映像表示装置を提供することを目的とする。
【００２２】
【課題を解決するための手段】
上記従来の課題を解決するために、本発明は、多数の表示素子を前面に配列した表示ユニットを、連結具を介して、左右方向に複数台連結して構成される映像表示装置において、前記表示ユニットの上部を捕捉可能に構成された上蓋部材と、この上蓋部材の後部に、一端部が着脱自在に構成された第１の支柱部材と、この第１の支柱部材の他端部に、着脱自在に構成された長尺な支持部材と、この支持部材に一端部が着脱自在に構成され、他端部が前記表示ユニットの底部を保持する基台に着脱自在に構成された第２の支柱部材とを具備することを特徴とする。
【００２３】
このように、本発明の映像表示装置は、表示ユニットを上下に挟んで保持する上蓋部材と基台とを有するとともに、その上蓋部材と基台とを、着脱自在な第１及び第２の支柱部材並びに支持部材の組み合わせで連結するので、構成が簡単で、組み立てや解体並びに搬送移動が容易であり、例えば競技場内のフィールドやトラック近くへ設置することができる。
【００２４】
【発明の実施の形態】
以下、本発明による映像表示装置の一実施の形態を、図１ないし図１０を参照して詳述する。なお、図１１ないし図１３に示した従来の構成と同一構成には同一符号を付して、詳細な説明は省略する。
【００２５】
図１は本発明による映像表示装置の一実施の形態を示した要部斜視図で、図２は図１に示した映像表示装置の要部分解斜視図、図３は図１に示した映像表示装置を背面から見た要部斜視図、図４は図１に示した映像表示装置の右側面図である。
【００２６】
すなわち、この実施の形態の映像表示装置は、図１ないし図４に示したように、表示ユニット１の上部を捕捉可能に構成された上蓋部材２と、この上蓋部材２の後部に、一端部が着脱自在に形成されるとともに、その長さを可変できるように構成された第１の支柱部材３と、この第１の支柱部材３の他端部に着脱自在に構成された長尺な支持部材４と、表示ユニット１の底部を保持する基台５と、この基台５と支持部材４との間を着脱自在に連結可能な第２の支柱部材６とから構成されている。
【００２７】
また、上蓋部材２と基台５とには、それぞれＬ字状のブラケット（取付具）２１，５１が取り付けられ、このブラケット２１，５１には、表示ユニット１の表示面を保護するたとえばアクリルガラスからなるカバー（保護板）７が取り付けられている。カバー７は、透明性を有して表示ユニット１の映像を視認できるとともに、球技のボール等が衝突して表示ユニット１を損傷するのを防止する。
【００２８】
この実施の形態において、上蓋部材２によって上部が捕捉される表示ユニット１は、図２に示したように、筐体１７の前面に、ＬＥＤ等の表示素子１１ａを多数配置した複数個（この実施の形態では１２個）の表示パネル１１を配列して構成されている。
【００２９】
筐体１７は枠体状に形成され、上面の中央には連結ピン１７１が、また左右両端には対をなすようにガイドピン１７２，１７２が植立されている。従って、もしも上に他の表示ユニット１が連結しようとすれば、位置合わせを行いつつその相手側ユニット１との連結接続が可能である。
【００３０】
連結ピン１７１は、図示のように、係止ロッド１７１ａを横方向に貫通させたＴ字状をなし、上方に他の相手側表示ユニット１を連結したとき、その相手側表示ユニット１内の下部に設けられた係止部と連結される。
【００３１】
図５及び図６は、係止部の例を示したもので、それぞれ当該連結ピン１７１に接続された相手側表示ユニット１の係止部１７３の斜視図である。
【００３２】
すなわち、図５は、本出願人による先の出願（特願２００２−１５１１２５）に記載された係止部１７３を示したもので、係止部１７３は、アーム１７３ａと一対の係止片１７３ｂ，１７３ｂとで構成され、アーム１７３ａの回動操作によって、筐体１７の支軸１７ａに回動自在に取り付けられた係止片１７３ｂ，１７３ｂが係止ロッド１７１ａ，１７１ａを捕捉して、上下表示ユニット１，１を連結固定する。
【００３３】
図６は、他の係止部例を示したもので、同じく本出願人による先の出願（特願２００２−１５１１３５）に記載の係止部１７３を示した斜視図である。
【００３４】
すなわち、図６に示した係止部１７３は、フック１７３ｃが係止ロッド１７１ａを捕捉した状態で、ハンドル１７３ｃを回動させるように上げると、ストッパ１７３ｄはロック部１７３ｅを捕捉して固定する。これにより、上下の表示ユニット１，１は連結固定される。また、把手１７３ｆを操作し、ストッパ１７３ｄを下方へ押し下げたとき、フック１７３ｃは係止ロッド１７１ａからはずれて、連結固定が解除される。
【００３５】
図１ないし図４に示したこの実施の形態の表示ユニット１には、図５または図６に示した係止部１７３が組み込まれていて、必要に応じて、下方に相手側表示ユニット１を連結接続した表示画面を形成することができる。
【００３６】
また、図１ないし図４に示したように、筐体１７上部の、連結ピン１７１と左右のガイドピン１７２，１７２との間には、作業員が、表示ユニット１を持ち運ぶための把手１７４，１７４が取り付けられている。なお、この把手１７４は、表示ユニット１をクレーン等により吊り上げ搬送するためのロープ掛け用に使用しても良い。
【００３７】
また、この実施の形態では、表示ユニット１の左右側面側にも、作業員による持ち運び用の把手１７５が設けられているとともに、他の表示ユニット１を、左右（横）方向に嵌脱自在に連結する連結機構１７６が設けられている。
【００３８】
連結機構１７６は、前述の本出願人による先の各出願（特願２００２−１５１１２５及び特願２００２−１５１１３５）に記載されたユニット連結機構を採用し、それぞれ対向する相手側表示ユニット１，１との間に渡着されるようにフック部１７６ａと係止部１７６ｂとで構成され、この実施の形態でも２組、設けられている。
【００３９】
なお、フック部１７６ａは回動自在に筐体１７に取り付けられるが、その回動軸の一端面は、表示ユニット１の背面側に露出して、作業員による、六角レンチやドライバ等を用いた回動軸の回転操作により、フック部１７６ａと相手側表示ユニット１に設けられた係止部１７６ｂとの間の嵌合及び解放の操作、すなわち嵌脱が可能である。
【００４０】
この実施の形態における映像表示装置は上記のように構成され、もともと上下左右の双方向に連結して大型ディスプレイを形成し得るように構成された従来の表示ユニットを使用したものであるが、図１ないし図４に示したように、表示ユニット１の上部を捕捉可能な上蓋部材２を設け、上蓋部材２には、表示ユニット１の連結ピン１７１を捕捉するために、図７（ａ）及び図７（ｂ）に示す構造の係止部２２を組み込むとともに、表示ユニット１のガイドピン１７２及び把手１７４を受け入れ可能な貫通孔２ａが形成されている。
【００４１】
すなわち、係止部２２は、図７に示したように、作業員が回動操作可能な把手２２１と、この把手２２１の回動操作により回動するコ字状の支持枠２２２と、支持枠２２２に設けられた一対の係止片２２３，２２３とで構成されている。一対の係止片２２３，２２３は、把手２２１の回動操作により、係止ロッド１７１ａの捕捉及び捕捉状態からの解放が可能である。
【００４２】
一対の係止片２２３，２２３は、図示のように互いに斜め下方に向けて交差するように取り付けられていて、係止ロッド１７１ａを捕捉するときには、係止ロッド１７１ａを互いに反対方向から挟みかつ引き上げてロックするように機能する。
【００４３】
一対の係止片２２３，２２３は、図７（ｂ）に示すように、全体が中央の連結ピン１７１寄りに向くように取り付けられているとともに、係止ロッド１７１ａを捕捉しやすいように、内側形状がテーパ状２２３ａに構成されている。
【００４４】
なお、図７に示した把手２２１は、折り畳み可能な既知の構造のものを採用し、上方向への突出を避けて、映像表示効果をできるだけ阻害しないように構成しても良い。もっとも、図７に示した係止部２２に代えて、図５あるいは図６に示した構成の係止部を採用できることは言うまでもない。
【００４５】
この実施の形態の上蓋部材２には、さらに、後方中央部に連結部２３が設けられ、第１の支柱部材３の一端部が着脱自在に連結されるように構成されている。
【００４６】
すなわち、その連結部２３と第１の支柱部材３との間の連結構造を図８に拡大して示したように、連結部２３は全体がコ字状をなし、突き出し部分には係合孔２３ａが連通するように設けられている。
【００４７】
一方、第１の支柱部材３は筒体状からなり、端部がコ字状の連結部２３内に嵌り込むように形成されるとともに、貫通するように取り付けられて突出したピン３１が連結部２３の係合孔２３ａに着脱自在となるように構成されている。
【００４８】
ピン３１は、その分解側面図を図９（ａ）及び図９（ｂ）に示したように、図９（ａ）に示す筒状片３１１と、図９（ｂ）に示す駆動片３１２との組み合わせで構成される。筒状片３１１は、長手方向にスリットを形成した開口部３１１ａを有してばね性を備えるとともに、間隔をなして上下に貫通する一対の貫通孔３１１ｂを形成する。また、駆動片３１２は、コイルばね３１２ａの両端にそれぞれ、係止片３１２ｂを介して、止めピン３１２ｃが取り付けられて構成されている。
【００４９】
そこで、ピン３１は、図９（ｃ）の斜視図に示すように、筒状片３１１が駆動片３１２を中に収納し、係止片３１２ｂが、コイルばね３１２ａのばね圧に抗しつつ貫通孔３１１ｂから突き出るように組み込み構成される。
【００５０】
そこで作業員は、駆動片３１２の止めピン３１２ｃを図９（ｃ）に示すように矢印Ｘ方向に押し込めつつ、図８に示すように第１の支柱部材３に嵌め込み、止めピン３１２ｃの先端部が、コイルばね３１２ａに抗しつつ、第１の支柱部材３に貫通させて設けた貫通孔３ａを、図示矢印Ｘ方向に遊貫するよう取り付けることができる。
【００５１】
従ってまた、作業員は、第１の支柱部材３の止めピン３１２ｃを筒体状側に押し込みつつ連結部２３に嵌め込み、止めピン３１２ｃを連結部２３の係合孔２３ａから突き出させるように操作することで、第１の支柱部材３と上蓋部材２とを連結させることができる。
【００５２】
このように上蓋部材２に一端部が回動自在に連結される第１の支柱部材３は、図３及び図４に示すように、筒状体の２本の支柱がスライドして、全体の長さを可変できるように構成され、ビス３ｂにより、適宜な長さ位置で締め付け固定できるように構成されている。
【００５３】
また第１の支柱部材３の他端部側は、上記上蓋部材２との間の連結と同じ機構を有して、表示ユニット１の表示面に沿った方向に長尺な支持部材４との間で、同様に連結自在に構成されている。
【００５４】
さらに、支持部材４と基台５との間には、第２の支柱部材６が着脱自在に連結される。第２の支柱部材６は第１の支柱部材３とは若干構造が相違し、横断面がコ字状であるとともに長さが固定されて構成されている。
【００５５】
第２の支柱部材６と支持部材４との間の連結部は、第１の支柱部材３と支持部材４との間の連結と同様な機構で構成されるが、第２の支柱部材６と基台５との間の連結は、図１０に示すように構成されている。
【００５６】
すなわち、基台５にはピン５２ａを外側に突出させたコ字状の係止部５２が取り付けられ、コ字状の第２の支柱部材６は、この係止部５２を内側に嵌め込むように構成されて、第２の支柱部材６の端部に貫通して設けられた貫通孔６ａがピン５２ａを捕捉しつつ貫通し、回動自在となり得るように構成されている。
【００５７】
なお、図１０に示すように、作業員が第２の支柱部材６の端部を基台５の係止部５２に向けて押し込み操作を行い、回動自在に連結しようとするとき、貫通孔６ａがピン５２ａを捕捉しやすくなるように、第２の支柱部材６の端部には溝６ｂするとともに、図示しないが内側面にテーパ状に削り込みを形成されている。従って、作業員による第２の支柱部材６と基台５との連結操作では、ピン５２ａが溝６ｂ等に案内されることから、作業員による一操作の押し込みで容易に連結可能である。
【００５８】
さらに、基台５自体は、図２ないし図４に示したように、表示ユニット１の底部を保持固定し得るように構成されている。
【００５９】
すなわち、表示ユニット１の底面には、前述のように、もしも下に連結される他の表示ユニット１があれば、その連結ピン１７１及びガイドピン１７２が嵌め込まれる係止部が設けられている。
【００６０】
そこでこの実施の形態では、連結ピン１７１に相当する連結ピン５３、及びガイドピン１７２に相当するガイドピン５４を基台５に設けて構成されている。  さらに、基台５には、支持固定した表示ユニット１の表示面が水平方向より上に向くように傾斜角度を有するとき、表示ユニット１の支持面をそれに対応して傾斜させ、水平な地面に対して安定するように高さ調整ビス５５を設けている。
【００６１】
表示ユニット１の表示面の傾き程度は、上蓋部材２に回動自在に連結され長さ調節可能に構成された第１の支柱部材３→支持部材４→固定長さの第２の支柱部材６→基台５間で形成される三角形状により定められる。
【００６２】
第１の支柱部材３の長さ調整及び高さ調整ビスによる高さ調整により、表示面の上向き角度を適宜調整可能であり、例えばこの実施の形態の映像表示装置を競技場内のフィールドやトラック近くに設置したとき、競技そのものを妨げることなく、しかも観客等に見やすい角度に調整し得て、効果的な広告宣伝効果をもたらすことができる。もっとも、表示ユニット１の表示面の傾きを変化させるのに、第１の支柱部材３の長さを固定とし、第２の支柱部材６の長さを調節できるようにしても良く、あるいは第１及び第２の支柱部材３、６双方を適宜長さ調整可能に構成しても良い。
【００６３】
なお、上記説明のこの実施の形態において、上蓋部材２と第１の支柱部材３との間、第１の支柱部材３と支持部材４との間、支持部材４と第２の支柱部材６との間、第２の支柱部材６と基台５との間の各連結構造は、着脱自在に構成されたものであれば、この実施の形態の構造の連結機構に限定されることなく、任意の連結機構を適宜採用することができる。従って、例えばボルト及びナットの組み合わせを用いた連結機構を用いても良い。
【００６４】
また、この実施の形態では、左右（横）方向に連結される表示ユニット１の数を特定していないが、必要に応じて任意の台数の表示ユニット１を連結することができる。さらにまた、この実施の形態では、一台の表示ユニット１を左右方向に連結する旨説明したが、上下方向にも複数台（例えば２台）の表示ユニット１を連結し、左右方向に多数台、たとえば１０台連結して、全体が横長でかつやや上向きの表示画面を形成することができる。
【００６５】
以上説明のように、本発明の映像表示装置によれば、表示ユニット１を少なくとも左右（横）方向に多数台連結して構成し、例えばサッカー競技場内等のフィールド近くに据え付け、効果的な宣伝広告用の動画面を観客席に向けて提供することができる。
【００６６】
また、本発明の映像表示装置によれば、上蓋部材及び基台を設けたので、既存の表示ユニットをそのまま使用し得るとともに、組み立て及び解体が容易で、解体による運搬に適するとともに、安定した据え付けが容易に可能である。
【００６７】
【発明の効果】
本発明によれば、複数台の表示ユニットを横方向に連結し得るとともに、その表示面を鉛直方向から傾斜させつつ安定して配置できるのに加えて、組み立て及び解体が容易で、運搬にも便利な映像表示装置を提供できるものであり、実用に際し顕著な効果を発揮することができる。
【図面の簡単な説明】
【図１】本発明による映像表示装置の一実施の形態を示した要部斜視図である。
【図２】図１に示した映像表示装置の分解斜視図である。
【図３】図１に示した映像表示装置の背後から見た斜視図である。
【図４】図１に示した映像表示装置の右側面図である。
【図５】図１に示した映像表示装置の連結ピンに連結される係止部を示した斜視図である。
【図６】図１に示した映像表示装置の連結ピンに連結される他の係止部を示した斜視図である。
【図７】図７（ａ）は、図１に示した映像表示装置の上蓋部材に組み込まれた係止部の連結前の状態を示す正面図、図７（ｂ）は、連結後の状態を示す正面図である。
【図８】図１に示した映像表示装置の上蓋部材と第１の支柱部材との間の連結構造を示した斜視図である。
【図９】図９（ａ）及び（ｂ）は、図８に示した第１の支柱部材のピンの構造を示した分解図、図９（ｃ）はピンの斜視図である。
【図１０】図１に示した映像表示装置の基台と第２の支柱部材との間の連結構造を示した斜視図である。
【図１１】従来の映像表示装置を構成した表示ユニットの斜視図である。
【図１２】図１１に示した表示ユニットの背面側から見た斜視図である。
【図１３】図１１に示した表示ユニットにより連結構成されてなる映像表示装置の正面図である。
【符号の説明】
１  表示ユニット
１１  表示パネル
１１ａ  ＬＥＤ（発光ダイオード）
１７  筐体
１７１  連結ピン
１７２  ガイドピン
１７４  把手
２  上蓋部材
３  第１の支柱部材
４  支持部材
５  基台
６  第２の支柱部材
７  カバー（保護板）
【図１】
2004354571.tif 000003
【図２】
2004354571.tif 000004
【図３】
2004354571.tif 000005
【図４】
2004354571.tif 000006
【図５】
2004354571.tif 000007
【図６】
2004354571.tif 000008
【図７】
2004354571.tif 000009
【図８】
2004354571.tif 000010
【図９】
2004354571.tif 000011
【図１０】
2004354571.tif 000012
【図１１】
2004354571.tif 000013
【図１２】
2004354571.tif 000014
【図１３】
2004354571.tif 000015